【手続補正書】
【提出日】平成29年11月20日(2017.11.20)
【手続補正１】
【補正対象書類名】明細書
【補正対象項目名】全文
【補正方法】変更
【補正の内容】
【発明の詳細な説明】
【発明の名称】遠隔泡システム、泡生成器及び再充填ユニット
【関連出願】
【０００１】
本出願は２０１３年１２月１６日に出願された米国特許仮出願第６１／９１６，７０６号「遠隔泡システム（ｆｏａｍ−ａｔ−ａ−ｄｉｓｔａｎｃｅ）システムズ、泡生成器（ｆｏａｍ  ｇｅｎｅｒａｔｏｒｓ）及び再充填ユニット（ｒｅｆｉｌｌ  ｕｎｉｔｓ）」の優先権とその利益を主張し、これらの出願の内容は本出願に組み込まれたものとする。
【技術分野】
【０００２】
本発明は、概して、遠隔泡システムを有するディスペンサーシステム及びより詳細には、遠隔泡システムシステムズ、泡生成器（ｆｏａｍ  ｇｅｎｅｒａｔｏｒｓ）及び再充填ユニット（ｒｅｆｉｌｌ  ｕｎｉｔ）に関する。
【背景技術】
【０００３】
液体ディスペンサーシステム、液体ソープ及びサニタイザーディスペンサー等は、ディスペンサーの作動と同時に所定の量の液体をユーザーに供給する。カウンター据付システムはしばしば、カウンター下方に置かれる空気ポンプと液体ポンプを有しカウンター上方に置かれる出口ノズルを有する。多くのシステムはカウンター下方で泡を生成し泡をディスペンスチューブ上方へ通し吐出口（ｓｐｏｕｔ）の端に置かれる出口ノズルへプッシュアップする。泡をディスペンスチューブへ通しプッシュアップすることは、かなりのエネルギー量を要求しバッテリーを消耗する。加えて、残余の泡がディスペンスチューブ内で破断し、したがって、その次のソープの一回分（ｄｏｓｅ）が液体又は品質の悪い泡を含む恐れがある。一解決策は、液体及び空気を別のチューブでプッシュアップし吐出口端の近傍で液体と空気を混合することである。米国特許第７，８１９，２８９は、ここにその全体が組み込まれているのであるが、別々の空気及び液体ポンプが遠隔泡システムノズルへの別々のチューブでフィードすることを開示する。米国公開２００８／０２３７２２６６もここにその全体が組み込まれているのであるが、別々の空気と液体のポンプを有し別々の液体及び空気チューブを用い遠隔泡システムノズルへ液体及び空気をフィードする再充填ユニットを開示する。現行の遠隔泡システムノズル又は泡生成器は液体と空気を混合するためのミキシングチャンバー及び泡を生成する混合を生じさせる乱流を作成するための一又は複数のスクリーンを利用する。液体は乾燥しスクリーンの開口上に堆積する傾向があり、遠隔泡システムノズルの流れを詰まらせる原因となる。
【発明の概要】
【発明が解決しようとする課題】
【０００４】
遠隔泡システム、再充填ユニット及び泡生成器の実施例がここに開示される。一実施形態の泡生成器は、空気を受け取る（ｒｅｃｅｉｖｉｎｇ）入口（ｉｎｌｅｔ）と液体を受け取る入口を有するボディを含む。泡生成器は、ボディ内に置かれる複数のバッフル（ｂａｆｆｌｅｓ）を含む。複数の細長スペース（ｅｌｏｎｇａｔｅｄ  ｓｐａｃｅｓ）がバッフルで形成されている。細長スペースは幅よりも大きな長さを持つ。
【０００５】
他の実施例の泡生成器は、空気を受け取る入口と液体を受け取る入口を持つボディを有する。少なくとも３つのバッフルがボディ内に置かれ互いに並んでいる。加えて、複数の細長スペースが細長部材（ｅｌｏｎｇａｔｅｄ  ｍｅｍｂｅｒｓ）によって形成されている。
【０００６】
他の実施例の泡生成器は、空気を受け取る入口と液体を受け取る入口を持つボディを有する。複数の細長部材がボディ内に置かれる。加えて、複数の細長スペースが少なくとも細長部材によって部分形成されており、細長スペースは幅よりも大きな長さを有する。
【０００７】
一実施例の遠隔泡システムディスペンサー用の再充填ユニットは、液体容器、液体ポンプ及び空気ポンプを含む。液体ポンプと流体連通する第一の端及び液体ポンプからある設定距離に置かれる第二の端を有する液体ディスペンスチューブが含まれる。加えて、空気ディスペンスチューブは空気ポンプと流体連通する第一の端部及び空気ポンプからある設定距離に置かれる第二の端を有する空気ディスペンスチューブも含まれる。実施例の再充填ユニットは、入口が液体ディスペンスチューブの第二の端に接続されている入口及び空気ディスペンスチューブの第二の端に接続されている空気入口を備えるボディを有する泡生成器を含む。複数のバッフルがボディ内に置かれ、複数の細長スペースが細長部材によって形成されている。
【０００８】
一実施例のカウンター据付の遠隔泡システム  システムは液体容器、液体ポンプ及び第一の端が液体ポンプと流体連通し第二の端が液体ポンプからある設定距離に置かれる液体ディスペンスチューブを含む。実施例のシステムは空気ポンプ及び液体ポンプと流体連通している第一の端及び液体ポンプからある設定距離に置かれる第二の端を有する空気ディスペンスチューブを含む。ボディを有する泡生成器もシステムに含まれている。泡生成器は液体ディスペンスチューブの第二の端に接続されている入口及び空気ディスペンスチューブの第二の端に接続されている空気入口を有するボディを持つ。ボディ内に置かれる複数の細長部材及び複数の細長スペースが細長部材によって形成されている。
【０００９】
他の例示的実施形態である泡生成器は、入口及び出口（ｏｕｔｌｅｔ）を有するボディを含む。流体通路は入口と出口の間に置かれる。入口は空気サプライから空気を受け取るし、液体サプライから液体を受け取るように構成され（ｃｏｎｆｉｇｕｒｅｄ）ている。ボディは第一ハーフ及び第二ハーフから成っている。第一ハーフ及び第二ハーフはモールドされたプラスチックから成る。少なくとも一つの第一ハーフ及び第二ハーフは複数のバッフルを含む。加えて、複数の細長スペースが、第一ハーフ及び第二ハーフが共に結合されたときには、少なくとも複数のバッフルの部分とボディの内部との間にある。複数のバッフルは、入口と出口との間の流体通路を蛇行パス（ｔｏｒｔｕｏｕｓ  ｐａｔｈ）とする。
【００１０】
さらに他の例示的実施形態である泡生成器は、空気入口、液体入口及び泡出口を有するボディを含む。複数のバッフルがボディ内に置かれ入口から泡出口へ蛇行パスを形成している。
【００１１】
このように、シンプルで経済的なシステム、ノズル及び再充填ユニットが提供される。
【図面の簡単な説明】
【００１２】
これら及び他の本発明の特徴と利点は、以下の記述と添付図面についてよりよく理解されるであろう、すなわち：
【００１３】
図１は、遠隔泡システムディスペンサーシステムの例示的実施形態の概略図でである。
【００１４】
図２は、泡生成器の実施例の断面図でである。
【００１５】
図３は、コネクターと泡生成器の他の実施例の断面図でである。
【００１６】
図４は、泡生成器の二つのハーフの予想図である。
【００１７】
図５−１４は、追加の泡生成器の一つのハーフの予想図である。
【発明を実施するための最良の形態】
【００１８】
図１は、遠隔泡システムディスペンサーシステム１００の例示的実施形態の概略図である。遠隔泡システム  システム１００は、吐出口（ｓｐｏｕｔ）１０４を含むが、それはカウンタートップ１０２に据付されている。吐出口１０４はオブジェクトセンサー１０６を、例えば、赤外線センサー、モーションセンサー、キャパシタセンサーのような類を含む。センサー１０６はコントローラー１１０と通信回線上にある。コントローラー１１０はプロセッサー、マイクロプロセッサーの類を含んでもよい。コントローラー１１０は、ここに記述されたファンクションを実行するのに要するいかなるメモリー又は回路も含む。加えて、いくつかの例示的実施形態では、吐出口１０４は、フィードバックインジケーター１０８を含む。フィードバック１０８は、視覚及び／又は聴覚フィードバックをユーザーへ提供できる。実施例の視覚フィードバックインジケーターは、例えば、一又は複数の発光ダイオード（ＬＥＤ）でもよい。コントローラー１１０は、センサー１０６、インジケーター１０８及びポンプアクチュエーター１１４と通信回路上にある。ポンプアクチュエーター１１４は、例えば、一又は複数のギアを回転するモーターであり遠隔泡システム  ディスペンサーポンプ１１６を駆動するものでよい。
【００１９】
“通信回路”は、デバイス間のコミュニケーション関係を示す。ダイレクトの電子、電磁気及び光学的接続、二次的な電子、電磁気及び光学的接続が通信回路の例である。二つのデバイスが、もし一方から他方への信号が受け取られたら、その信号が何か他のデバイスによって修正されるかどうかにかかわらず、通信回路上にある。例えば、一又は複数の以下で−増幅器、フィルタ、変圧器、オプトアイソレーター、デジタル又はアナログバッファ、アナログ積分器、他の電子回路、光ファイバトランスレシーバー又はサテライト−等で分離されている二つのデバイスは、もしも一方から他方への信号が通信されたら、たとえ信号が中継デバイスによって修正されても、通信回路上にある。他の例として、電磁気的センサーが信号から電磁放射を受け取る場合の信号に関し電磁気的センサーは通信回路上にある。最後の例として、二つのデバイスが互いにダイレクトに接続されていなくても、共に第三のデバイス、例えば、ＣＰＵとインターフェイス可能であるものは、通信回路上にある。
【００２０】
パワーソース１１２は、コントローラー１１０、ポンプアクチュエーター１１４及び他の電力を必要とするどのようなコンポーネントに電力を供給する。パワーサプライ１１２は、一又は複数のバッテリーであってもよく、あるいは、ハードワイヤ接続のパワーソース、例えば、交流１２０Ｖラインから引いたものでよい。このような場合、パワーサプライ１１２は、ここで記述されたコンポーネントのための好適なパワーを得るためのどのような所要のトランスフォーマ、整流器、あるいは電源調整デバイスを含んでもよい。ポンプアクチュエーター１１４は、遠隔泡システムポンプ１１６を駆動する。
【００２１】
遠隔泡システムポンプ１１６は、容器１１８に置かれる、入口ディップ（ｉｎｌｅｔ  ｄｉｐ）チューブ１２０、液体ディスペンスチューブ１２２及び空気ディスペンスチューブ１２３（いくつかの実施形態では、同軸である）に接続されており、吐出口１０４を通り泡生成器１２４へ延在し、そこで液体と空気が共に混合され出口１２５を通りディスペンスされる。いくつかの例示的実施形態では、容器１１８、泡ポンプ１１６、ディップチューブ１２０、出口チューブ１２２，１２３及び泡生成器１２４はリフィルを形成し、容器１１８の液体が尽きた時や、動作を停止した時には交換可能である。容器１１８は、例えば、泡生成可能なソープ又はサニタイザーのような液体を内蔵する。
【００２２】
コントローラー１１０は、ポンプアクチュエーター１１４をオペレーションするロジック又は回路を含み、ポンプ１１６及び上記で特定された所要の他の電子コンポーネントをオペレーションする。“ロジック（Ｌｏｇｉｃ）”は、“回路（ｃｉｒｃｕｉｔ）”又は“回路要素（ｃｉｒｃｕｉｔｒｙ）”と同義であるが、ハードウェア、ファームウェア、ソフトウェア及び／又は個々のコンビネーションでファンクション（ｓ）（（ｓ）は原語で複数形を表す、以下同じ）あるいはアクション（ｓ）を含むが限定されるものではない。例えば、所望のアプリケーションあるいは要求に基づき、ロジックは、ソフトウェアコントロールされるマイクロプロセッサー又はマイクロコントローラー、ディスクリートロジック、アプリケーション仕様の集積回路（ＡＳＩＣ）又は他のプログラムロジックデバイスのようなものを含んでもよい。ロジックは、すべてソフトウェアとして実装されてもよい。特定され及びここに記述された回路は、所望の機能を実行する多くの異なる形態（ｃｏｎｆｉｇｕｒａｔｉｏｎｓ）を持ち得る。
【００２３】
図２は、例示的実施形態の泡生成器１２４の断面図である。泡生成器１２４は、筒状ハウジング２０１を有する。筒状ハウジング２０１を一体接続するとき、筒状ハウジング２０１は第一ハーフ（ａ  ｆｉｒｓｔ  ｈａｌｆ  ）２０２と第二ハーフ（ａ  ｓｅｃｏｎｄ  ｈａｌｆ）２０３から形成される。第一ハーフ２０２と第二ハーフ２０３はどのようなタイプの接続で一体接続されてもよく、例えば、接着接続、溶接接続、スナップフィット接続（ａ  ｓｎａｐ−ｆｉｔ  ｃｏｎｎｅｃｔｉｏｎ）のような類である。加えて、第一ハーフ２０２と第二ハーフ２０３は、例えば、ロッキングタブ（ｌｏｃｋｉｎｇ  ｔａｂｓ）（図示しない）で一体接続されてもよい。筒状ハウジング２０１は、空気ディスペンスチューブ１２２を係合する環状突起２０４を含む。空気ディスペンスチューブ１２２は、環状突起２０４にどのようなタイプの接続で保持されてよく、例えば、摩擦フィット接続、接着接続、バーブ（ｂａｒｂｅｄ）接続の類である。加えて、空気ディスペンスチューブ１２２は、環状突起（ａｎｎｕｌａｒ  ｐｒｏｊｅｃｔｉｏｎ）２０４の内側に描かれているが、空気ディスペンスチューブ１２２は環状突起２０４に被さる（ｆｉｔ  ｏｖｅｒ）ものでよい。
【００２４】
同様に、筒状ハウジング２０１は、液体ディスペンスチューブ１２３と接続する第二の環状突起２０５を含む。液体ディスペンスチューブ１２３は、環状突起２０５にどのようなタイプの接続で固定されてもよく、例えば、上述の接続タイプである。複数の開口２０６が筒状ハウジング２０１にあり空気ディスペンスチューブ１２２から筒状ハウジング２０１へ空気が通過するのを可能とする。
【００２５】
第一ハーフ２０２は複数のバッフル２０８を含み、第二ハーフ２０３は複数のバッフル２０９を含む。第一ハーフ２０２と第二ハーフ２０３が一体接続されると、バッフル２０８の端とセミ筒状ハウジングの第二ハーフ２０３との間にスペース２１０がある。加えて、いくつかの実施形態では、バッフル２０８の両側と筒状ハウジングの第二ハーフ２０３との間にはギャップ（図示しない）がある。いくつかの実施形態では、バッフル２０８の両側と筒状ハウジングの第一ハーフ２０２との間にはギャップ（図示しない）がある。同様に、第一ハーフ２０２と第二ハーフ２０３が一体接続されるとバッフル２０９の端とセミ筒状ハウジングの第二ハーフ２０１との間にスペース２１１がある。加えて、いくつかの実施形態では、バッフル２０９の両側と筒状ハウジングの第二ハーフ２０３との間にはギャップ（図示しない）がある。いくつかの実施形態では、バッフル２０９の両側と筒状ハウジングの第一ハーフ２０２との間にはギャップ（図示しない）がある。加えて、隣り合ったバッフル２０８，２０９の間にスペース２１２がある。
【００２６】
いくつかの実施形態では、ギャップ２１０とギャップ２１１の幅は、約０．００６インチと０．０１５インチの間である。ギャップの断面エリアはしたがって、ギャップの長さにギャップの幅を乗じたものである。ギャップ長さは、筒状ハウジング２０１の内周の約１０から約５０％の範囲でもよい。したがって、もしも筒状ハウジング２０１の直径が０．２５インチであれば、ギャップ長は内周の５０％、断面エリアは約０．００２３６平方インチと約０．００５８９平方インチの間でもよい。対照的に、スクリーンを用いる従来の泡生成器は、スクリーンの開口幅、深さは約０．００２インチであり、したがって、断面エリアは０．０００００４平方インチに過ぎない。このように、ギャップ２１０，２１１の断面エリアはスクリーンの開口の断面エリアよりもかなり大きい。したがって、ソープまたは残存液は、ここに開示された発明の泡生成器では目詰まりしそうにない。
【００２７】
いくつかの実施形態では、バッフル２０８，２０９の隣接間スペース２１２は、約０．００６と０．０１５インチの間でもよい。いくつかの実施形態では、スペース２１２は、ギャップ２１０，２１１の幅よりも大きい。いくつかの実施形態では、より大きなスペース２１２は、泡生成器１２４を通過進行するにつれてソープと泡の混合のための追加の乱流を生成する。
【００２８】
泡生成器１２４は、１３のバッフル２０８，２０９を有する。いくつかの実施形態では、泡生成器１２４は、より少ないバッフル２０８，２０９を有し、いくつかの実施形態では、より多いバッフル２０８，２０９を有する。いくつかの実施形態では、泡生成器１２４は、約４と１０の間のバッフル２０８，２０９を有し、いくつかの実施形態では、約８以下のバッフル２０８，２０９を有する。泡生成器１２４は液体ディスペンスチューブ１２３と空気ディスペンスチューブ１２２を同軸に配置されて描かれていても、液体ディスペンスチューブ１２３と空気ディスペンスチューブ１２２はモディファイされた空気と液体入口で隣り合って、例えば、図３に描かれているようなコネクターでよい。
【００２９】
ここに開示された泡生成器は二つのパーツでモールドされたプラスチックから成っていてもよい。二つのパーツは互いにしっかりと結合されもよい。対照的に、従来技術のスクリーンを含む泡生成器は、スクリーンは泡生成器にインサートされなければならず、正位置に溶接されねばならず、それは、労働集約的であり及び／又は時間浪費的である。
【００３０】
オペレーション中、空気は、液体ディスペンスチューブ１２２を通じ圧力下を強いられ、液体は液体ディスペンスチューブ１２３を通じ圧力下に強いられている。空気と液体の混合物は、複数のバッフル２０８，２０９のまわりの蛇行パスを強制通過させられる。蛇行パスに起因する乱流は、それを通じて混合物が強制移動させられ、ギャップ２１０，２１１及びスペース２１２をパススルーし混合物をリッチな泡にして出口１２５を通じてディスペンスされることとなる。
【００３１】
図３は、実施例のコネクター３００が泡生成器３５０に固定されているのを図示する。コネクター３００は、泡生成器３５０の筒状ハウジング３５１の外側をスライドし固定される筒状ハウジング３１６を含む。いくつかの実施形態では、筒状ハウジング３１６は筒状ハウジング３５１に、例えば、摩擦フィット、接着接続、溶接接続、スナップフィット接続又はその類によって固定される。いくつかの実施形態では、泡生成器３５０は二つのパーツで組み立てられ、筒状ハウジング３１６はコネクターとして働き二つのパーツを互いの接続を維持する。
【００３２】
コネクター３００は、空気ディスペンスチューブ３２２を係合する環状突起３０３を含む。空気ディスペンスチューブ３２２は環状突起３０３にバーブ３１４によって保持されている。しかし、どのようなタイプの接続、例えば、摩擦フィット接続、接着接続、の類が使用されてよい。同様に、筒状ハウジング３１６は、液体ディスペンスチューブ３２３に接続する第二の環状突起３０４を含む。液体ディスペンスチューブ３２３は、環状突起３０４にバーブ３１５によって固定されているが、液体ディスペンスチューブ３２３は環状突起３０４にどのようなタイプの接続で固定されてもよい。例示的実施形態は、並んでいるコンフィグレーションでの空気ディスペンスチューブ３２２と液体ディスペンスチューブ３２３を有するものと描かれているにもかかわらず、他のコンフィグレーションが使用されてもよく、例えば、同軸コンフィグレーションのようなものでもよい。泡生成器３５０は、一般的に描かれており、以下のどの泡生成器でもよい。
【００３３】
図４は、実施例の泡生成器４００を描く。泡生成器４００は、筒状ハウジング４０１が一体に接続されたとき第一ハーフ４０１Ａと第二ハーフ４０１Ｂによって形成される筒状ハウジング４０１を含む。第一ハーフ４０１Ａと第二ハーフ４０１Ｂは、溝（ｇｒｏｏｖｅ）４２０とタブ（ｔａｂ）４２１を含む。第一ハーフ４０１Ａのタブ４２１は、第二ハーフ４０１Ｂのグルーブ４２０にフィットし、第二ハーフ４０１Ｂのタブ４２１は第一ハーフ４０１Ａの溝４２０内にフィットする。第一ハーフ４０１Ａと第二ハーフ４０１Ｂは、どのようなタイプの接続で接続されてもよく、例えば、接着接続、溶接接続、スナップフィット接続又はその類である。加えて、第一ハーフ４０１Ａと第二ハーフ４０１Ｂ）は、一体に接続されてよく、例えば、ロッキングタブによってである（図示しない）。
【００３４】
第一ハーフ４０１Ａは、くし−様の突起を有する複数のバッフル４０８Ａを含む。複数のバッフル４０８Ａ。同様に、第二ハーフ４０１Ｂは複数のバッフル４０Ｂを含む。バッフル４０８Ａと４０８Ｂは第一ハーフ４０１Ａと第二ハーフ４０１Ｂが一体に接続されるときバッフル４０８Ｂがバッフル４０８Ａの間に交互の順にフィットするようにオフセットされている。
【００３５】
例示的実施形態は、１４枚のバッフル４０８Ａ、４０８Ｂを描く。いくつかの実施形態では、約１４以上のバッフル４０８Ａ、４０８Ｂを含み、いくつかの実施形態では、約１４以下のバッフル４０８Ａ、４０８Ｂを含む。いくつかの実施形態では、約３と約１０の間のバッフル４０８Ａ、４０８Ｂがある。いくつかの実施形態では、約６と約８の間のバッフル４０８Ａ、４０８Ｂがある。いくつかの実施形態では、筒状ハウジング４０１の第二ハーフ４０１Ｂはシェルであり、バッフルを含まない。
【００３６】
バッフル４０８Ａ、４０８Ｂは、突起４１０間にあるギャップ４１２によって分離された複数の突起４１０を含む。いくつかの実施形態では、突起４１０はバッフル４０８Ａ、４０８Ｂの深さの約半分伸びている。したがって、二つのハーフ４０８Ａ、４０８Ｂが一体に接続されると、バッフル４０８Ａ上のギャップ４１２は隣のバッフルの固体部分の向かいにある。
【００３７】
いくつかの実施形態では、ギャップ４１２の幅は約０．００６インチと０．０１５インチの間である。ギャップの断面エリアは、したがってバッフル４０８Ａ、４０８Ｂの高さにギャップ長を乗じるものとなる。例示的実施形態の図４は、ギャップは全体長に沿ってほぼ同じ幅である。
【００３８】
泡生成器４００は、第一の円筒部分４０１と第二のより大きな円筒部分４５０を有する。いくつかの実施形態では、円筒部分の一つは、他のものより大きい。第二に、より大きな方の円筒部分４５０は、泡混合物が通過する乱流を増加する。二つの外径をもつ泡生成器がここに描かれているが、外径が一つである泡生成器及び複数の外径を有する泡生成器もここで考えられる。
【００３９】
いくつかの実施形態では、隣接するバッフル４０８Ａ、４０８Ｂ間のスペースは、約０．００６インチと０．０１５インチの間でもよい。いくつかの実施形態では、スペースはギャップ４１２の幅よりも大きくてもよい。図４の例示的実施形態は、泡生成器４００のインプットは突起４１０のあるバッフル４０８Ａであり、泡生成器４００のアウトプットは突起４１０のあるバッフル４０８Ａである。
【００４０】
オペレーション中、空気は、液体ディスペンスチューブ３２２を通じ圧力下を強いられ、液体は液体ディスペンスチューブ３２３を通じ圧力下に強いられている。空気と液体の混合物は、複数のバッフル４０８Ａ、４０８Ｂの間及び／又は通過を強制させられる。蛇行パスに起因する乱流は、混合物が強制移動させられ、ギャップ４１２をパススルーすることから混合物をリッチな泡にして出口４６０を通じてディスペンスさせることとなる。
【００４１】
ここで開示されているいくつかの実施形態では、バッフルの数が変更されるが、実際には、使用されたり、必要とされたりするバッフルの数は多数の要因に依存し、例えば、泡生成器のサイズ、使用される流体の策定、流体の粘性のような類である。したがって、例示的実施形態では、ある数のバッフルを特定するが、各々の実施形態は、特定の実施形態でアイデンティファイされるよりもより多くあるいはより少なくされてもよい。少なくとも約３のバッフルが一般に泡生成には要求される。より好ましくは、６あるいはそれ以上のバッフルが使用される。いくつかの実施形態では、約４と約１６の間のバッフルが使用される。
【００４２】
図５−１４は、泡生成器のいくつかの実施形態の半分の予想図である。すべての泡生成器のオペレーションは上述のものと同様である。図５−１４は、様々な実施形態を開示し、組み合わせると本発明のスコープに入る泡生成器の追加の実施形態を形成可能である様々なコンポーネントを示す。加えて、図５−１４の数多くのコンポーネントは、図２−４について記述されたものと類似であり、ここに各々の追加の実施形態として再記されない。
【００４３】
図５は、複数のバッフル５０８を有する泡生成器５００を描く（上述のように、図５は説明のため泡生成器５００の半分のみ描く。泡生成器５００の第二ハーフは上述のように記されている図示のハーフと対になる）。各々のバッフル５０８は、突起又はフィンガー５１０、当該突起フィンガー５１０の間にあるスペース５１２を共に含む。スペース５１２は、狭角Ｖ形である。いくつかの実施形態では、スペース５１２はバッフル５０８の途中まで伸びている。加えて、図５の例示的実施形態では、泡生成器５００のインプットにはアーチ形バッフル５２０があり、泡生成器５２０のアウトプットには突起５１０のバッフル５０８がある。実施例の泡生成器５００は１３バッフル５０８を含む。いくつかの例示的実施形態では、約６以上のバッフル５０８が使用されてもよい。
【００４４】
図６は、複数のバッフル６０８を有する泡生成器６００を描く（上述のように、図６は説明のため泡生成器６００の半分のみ描く。泡生成器６００の第二ハーフは上述のように記されている図示のハーフと対になる）。各々のバッフル６０８は、突起又はフィンガー６１０、当該突起フィンガー６１０の間にあるスペース６１２を共に含む。スペース６１２は、狭角Ｖ形で、バッフル６０８の途中まで伸びている。いくつかの例示的実施形態では、スペース６１２は、バッフル６０８の半分以上伸びて、いくつかのものの伸びはバッフル６０８の半分以下である。図６の例示的実施形態では、泡生成器６００のインプットは突起６１０があるバッフル６０８であり、泡生成器６００のアウトプットは突起６１０があるバッフル６０８である。実施例の泡生成器６００は、１４のバッフル６０８を含む。いくつかの例示的実施形態では、約６以上のバッフル６０８が使用される。
【００４５】
図７は、複数のバッフル７０８を有す泡生成器７００を描く（上述のように、図７は説明のため泡生成器７００の半分のみ描く。泡生成器７００の第二ハーフは上述のように記されている図示のハーフと対になる）。各々のバッフル７０８は、突起又はフィンガー７１０、当該突起フィンガー７１０の間にあるスペース７１２を共に含む。スペース７１２は、Ｕ形で、バッフル６０８の途中まで伸びている。いくつかの例示的実施形態では、スペース７１２は、バッフル７０８の半分以上伸びて、いくつかのものの伸びはバッフル７０８の半分以下である。図７の例示的実施形態では、泡生成器７００のインプットは突起７１０があるバッフル７０８であり、泡生成器７００のアウトプットは突起７１０があるバッフル７０８である。実施例の泡生成器７００は、１４のバッフル７０８を含む。いくつかの例示的実施形態では、約６以上のバッフル７０８が使用されるが、それより多いのものあるいは少ないものが使用されてよい。
【００４６】
図８は、もう一つの実施例の泡生成器８００を描く（上述のように、図８は説明のため泡生成器８００の半分のみ描く。泡生成器８００の第二ハーフは上述のように記されている図示のハーフと対になる）。泡生成器８００は複数のバッフル８０８（その半分が示されている）を含む。バッフル８０８は突起８１０とスペース８１２を含む。スペース８１２は半円形スペースである。図８の例示的実施形態では、泡生成器８００のインプットは突起８１０があるバッフル８０８であり、泡生成器８００のアウトプットは突起８１０があるバッフル８０８である。実施例の泡生成器８００は、１４のバッフル８０８を含む。
【００４７】
図９は、もう一つの実施例の泡生成器９００を描く（上述のように、図９は説明のため泡生成器９００の半分のみ描く。泡生成器９００の第二ハーフは上述のように記されている図示のハーフと対になる）。泡生成器９００は複数のバッフル９０８（その半分が示されている）を含む。バッフル９０８はそのバッフル９０８頂部の部分が取り除かれアーチ形の頂部を形成して、泡生成器９００の第二ハーフ（図示しない）の筒状ボディの下方にあり、通路９１２を作成している。図９の例示的実施形態では、泡生成器９００のインプットは複数の貫通開口９２０があるバッフル９２０であり、泡生成器９００のアウトプットは複数の貫通アパーチャ９３２があるバッフル９３０である。実施例の泡生成器９００は、１２のバッフル（ｓ）９０８、バッフル９２２及びバッフル９３２を含む。
【００４８】
図１０は、もう一つの実施例の泡生成器１０００を描く（上述のように、図１０は説明のため泡生成器１０００の半分のみ描く。泡生成器１０００の第二ハーフは上述のように記されている図示のハーフと対になる）。泡生成器１０００は、バッフル９３０が単一の貫通アパーチャ１０３２がそこにあるバッフル１０３０で置換された点を除き、泡生成器９００とほぼ同じである。同様に、図１１は、もう一つの実施例の泡生成器１１００を描き、バッフル９２０が単一の貫通アパーチャ１１２２があるバッフル１１２０によって置換されている点を除き、泡生成器１０００とほぼ同じである。
【００４９】
図１２は、もう一つの実施例の泡生成器１２００を描く（上述のように、図１２は説明のため泡生成器１２００の半分のみ描く。泡生成器１２００の第二ハーフは上述のように記されている図示のハーフと対になる）。泡生成器１２００は、バッフル１０３０がバッフル１２０８と類似のコンフィグレーションを持ち半月形の出口を作成しているバッフル１２３０で置換された点を除き、泡生成器９００とほぼ同じである。
【００５０】
図１３は、もう一つの実施例の泡生成器１３００を描く（上述のように、図１３は説明のため泡生成器１３００の半分のみ描く。泡生成器１３００の第二ハーフは上述のように記されている図示のハーフと対になる）。泡生成器１３００は、泡生成器１１００と似ている。しかし、バッフル１３０８は、バッフル１３０８の長さを延ばす複数のチャンネル１３０１を含む。いくつかの実施形態では、泡生成器１３００の第二のハーフ（図示しない）のバッフル（図示しない）は開放チャンネル１３１０に面するチャンネル（図示しない）も有する。いくつかの実施形態では、第二ハーフ上のチャンネル（図示しない）はチャンネル１３１０と並んでいる。いくつかの実施形態では、チャンネル（図示しない）は、チャンネル１３０１からオフセットしている。チャンネル１３０１は流体がパススルーする狭通路を提供する。バッフル１３３０は半月形の出口を提供する。
【００５１】
図１４は、もう一つの実施例の泡生成器１４００を描く（上述のように、図１４は説明のため泡生成器１４００の半分のみ描く。泡生成器１４００の第二ハーフは上述のように記されている図示のハーフと対になる）。泡生成器１４００は複数のバッフル１４０８を含む。バッフル１４０８はそこにある複数の貫通アパーチャ１４１０を含む。泡生成器１４００の第二ハーフ（図示しない）は二つのハーフが一体に結合されたときバッフル１４０８の間にポジションされるバッフル（図示しない）を含む。第二ハーフ（図示しない）上のバッフル（図示しない）も複数のアパーチャを含む。
【００５２】
ここに描かれている数多くの実施形態は単一タイプのバッフルを含むが、泡生成器には異なるタイプのバッフルが組み込まれてよい。例えば、泡生成器は図１２に示され記述されているバッフル１２０８、図１４に示され記述されているバッフル１４０８を含むことも可能である。一例示的実施形態では、泡生成器の第一ハーフはバッフル１２０８を含み、泡生成器の第二ハーフはバッフル１４０８を含む。一実施形態で示され、記述されているどのようなコンポーネントも、ここに開示されている発明概念から乖離せず、一又は複数の他の実施形態のコンポーネントと組み合わせてよい。
【００５３】
ここに記されたいくつかの実施形態には、約２と１０の間のバッフルのペアがある。ここに使用されているバッフルのペアとは、上部バッフル及び下部バッフルをいう。いくつかの実施形態では、泡生成器の外径の径は、約０．１５”と約１．”の間である。いくつかの実施形態では、突起部材間の、あるいはバッフルとハウジングとの間のギャップは、約０．００５”と０．５．”の間である。    
【００５４】
ここに記載された実施形態は、空気と液体を混合するが、いくつかの実施形態では、二つの液体又はその以上の液体が泡生成器をパススルーするとき二つの液体又はその以上の液体が一緒に混合されて泡を生成する。
【００５５】
本発明が、ここに記載された実施形態に描かれ、実施形態は、かなり詳細に記載されているが、出願人は、添付する特許請求の範囲をいかようにも制限、限定する意図はない。追加の利点や修正は、当業者に理解される。したがって、発明は、広い面で、特定の詳細事項、開示され、記載されている各々の機器及び／又は実施例に限定されない。したがって、出願人の一般的発明概念の精神とスコープから乖離しないで、これらの詳細から離れることもあり得る。
【手続補正２】
【補正対象書類名】特許請求の範囲
【補正対象項目名】全文
【補正方法】変更
【補正の内容】
【特許請求の範囲】
【請求項１】
入口及び出口を有するボディと；  
前記入口と前記出口との間の流体通路と； 
空気供給源から空気を、液体供給源から液体を受け取るように構成された前記入口と；
第一ハーフ及び第二ハーフから成る前記ボディと；
モールドされたプラスチックから成る前記第一ハーフ及び前記第二ハーフと；
前記第一ハーフ及び前記第二ハーフの少なくとも一つが複数のバッフルを含んでいることと；
前記第一ハーフ及び前記第二ハーフが一体に結合されるとき前記複数のバッフルの少なくとも部分と前記ボディの内部との間に置かれる複数の細長スペースと；  
を含み、
前記複数のバッフルは前記入口と前記出口との間の前記流体通路を蛇行パスを与える、
泡生成器。
【請求項２】
前記ボディの前記第一ハーフは複数のバッフルを含み、前記ボディの前記第二ハーフは複数のバッフルを含む請求項１記載の泡生成器。
【請求項３】
前記ボディの前記第一ハーフ上の前記複数のバッフルは前記ボディの前記第二ハーフ上の前記複数のバッフルと同形である請求項２記載の泡生成器。
【請求項４】
二又は三以上の前記複数のバッフルは異形である請求項１記載の泡生成器。
【請求項５】
以下を含む泡生成器：
ボディ；
空気を受け取る入口を有する前記ボディ；
液体を受け取る入口を有する前記ボディ； 
前記ボディ内に置かれる複数の細長部材；
前記細長部材によって少なくとも部分が形成される複数の細長スペース；
幅よりも大きな長さを有する前記細長スペース。
【請求項６】
少なくとも三つの細長部材が前記細長部材を通る流体のフローパスを横断する列に置かれ、少なくとも二つの細長スペースが前記少なくとも三つの細長部材の間に形成され、前記細長スペースを通る前記フローパスは平行である請求項５記載の泡生成器。
【請求項７】
二又は三以上の細長部材はバッフルの一部である請求項５記載の泡生成器。
【請求項８】
前記二又は三以上の列で前記細長スペースが互いに整列されている請求項７載の泡生成器。
【請求項９】
前記二又は三以上の列で前記細長スペースが互いからオフセットされている請求項７載の泡生成器。
【請求項１０】
前記細長スペースが前記ボディと前記細長部材の間にある請求項５記載の泡生成器。
【請求項１１】
前記細長部材が前記ボディの前記幅にほぼ達して延びている請求項１０載の泡生成器。
【請求項１２】
前記細長スペースの前記長さが前記細長スペースの前記幅の少なくとも二倍である請求項５記載の泡生成器。
【請求項１３】
前記細長スペースの前記長さが前記細長スペースの前記幅の少なくとも三倍である請求項５記載の泡生成器。
【請求項１４】
前記液体入口と前記空気入口が同軸である請求項５記載の泡生成器。
【請求項１５】
液体容器と；
液体ポンプと；
第一の端が前記液体ポンプと流体連通し、第二の端が前記液体ポンプからある設定距離に置かれている液体ディスペンスチューブと；
空気ポンプと；
第一の端が前記空気ポンプと流体連通し、第二の端が前記空気ポンプからある設定距離に置かれている空気ディスペンスチューブと；
ボディを有する泡生成器と；を含み、
前記ボディは前記液体ディスペンスチューブの前記第二の端に接続されている入口を有し；
前記ボディは前記空気ディスペンスチューブの前記第二の端に接続されている空気入口を有し；
前記ボディ内には複数のバッフルが置かれ；そして、  
前記バッフルによって複数の細長スペースが形成されている、
遠隔泡システムディスペンサーの再充填ユニット。
【請求項１６】
前記二又は三以上の列で前記細長スペースが互いからオフセットされている請求項１５記載の再充填ユニット。
【請求項１７】
前記細長スペースが前記ボディと前記細長部材の間にある請求項１５記載の再充填ユニット。
【請求項１８】
前記細長スペースの前記長さが前記細長スペースの前記幅の少なくとも三倍である請求項１５記載の再充填ユニット。
【請求項１９】
前記細長スペースの前記長さが前記細長スペースの前記幅の少なくとも四倍である請求項１５記載の再充填ユニット。
【請求項２０】
前記細長スペースの前記長さが前記細長スペースの前記幅の少なくとも五倍である請求項１５記載の再充填ユニット。